(57)【要約】【課題】オプション機器の装着によってネットワーク通信が可能となる通信端末装置において、シャットダウン動作前に電源が遮断されることを防ぐと共に、ユーザにシャットダウン動作を確実に行わせる。【解決手段】電源スイッチ２０とシャットダウンスイッチ３１との２つのスイッチの相対配置によって操作性の優劣を設ける。すなわち、第１の構成としては、電源スイッチ２０の操作面２１を、装置の前面側に設けた凹部２１０の底面部２１１に配置し、その凹部の開口部を覆うカバー上にシャットダウンスイッチ３１の操作面３１１を配置する。第２の構成としては、シャットダウンスイッチ３１の操作面３１１を装置の前面側に、電源スイッチ２０の操作面２１を装置の背面側に配置する。【選択図】図７
2006174203.tif 000002
【特許請求の範囲】
【請求項１】
画像読取り機能と画像形成機能とを有する本体部にデジタルネットワークオプション機器が装着された通信端末装置であって、
前記本体部の電源スイッチと、
前記ネットワークオプション機器のシャットダウンスイッチと、
を備え、
前記シャットダウンスイッチが前記電源スイッチに比べて操作性において優位な位置に配置されていることを特徴とする通信端末装置。
【請求項２】
請求項１に記載の通信端末装置において、
前記シャットダウンスイッチが前記電源スイッチに比べて操作者側に近い位置に配置されていることを特徴とする通信端末装置。
【請求項３】
請求項１または請求項２に記載の通信端末装置において、
前記シャットダウンスイッチが前記電源スイッチの直接操作を妨害する位置に配置されていることを特徴とする通信端末装置。
【請求項４】
請求項３に記載の通信端末装置において、
前記電源スイッチは前記本体部のハウジングに形成した凹部内に配置され、
前記シャットダウンスイッチは前記凹部の開口を覆うカバー上に配置されていることを特徴とする通信端末装置。
【請求項５】
請求項４に記載の通信端末装置において、
前記カバーを取り付けるための取付構造が前記凹部内に形成されていることを特徴とする通信端末装置。
【請求項６】
請求項４に記載の通信端末装置において、
前記カバーが、
正面と背面とが規定されたカバー本体と、
前記カバー本体から背面側に延びており、前記取付構造として前記凹部内に形成された係合構造に係合する足部と、
を備え、
前記シャットダウンスイッチが、前記カバー本体の正面から背面へと貫通形成された透孔に挿通されており、前記シャットダウンスイッチの操作面が前記カバー本体の前記正面に露出していることを特徴とする通信端末装置。
【請求項７】
請求項１または請求項２に記載の通信端末装置において、
前記電源スイッチは、前記本体部のハウジングの前面側の第１位置にあり、
前記シャットダウンスイッチは前記ハウジングの後面側の第２位置にあることを特徴とする通信端末装置。
【請求項８】
画像読取り機能と画像形成機能とを有する本体部を備えるとともに、前記本体部にはデジタルネットワークオプション機器が装着可能とされた通信端末装置であって、
前記本体部の電源スイッチと、
前記ネットワークオプション機器のシャットダウンスイッチを取り付け可能な取付構造と、
を備え、
前記取付構造が、前記電源スイッチに比べて操作性において優位な位置に配置されていることを特徴とする通信端末装置。
【請求項９】
請求項８に記載の通信端末装置において、
前記本体部のハウジングに、前記シャットダウンスイッチを装着可能な凹部が形成されており、
前記電源スイッチは前記凹部の底面に配置され、
前記シャットダウンスイッチが、前記凹部の開口を覆うように装着可能なカバー上に取り付けられていることを特徴とする通信端末装置。
【請求項１０】
請求項９に記載の通信端末装置において、
前記カバーを取り付けるための取付構造が前記凹部内に形成されていることを特徴とする通信端末装置。
【請求項１１】
請求項１ないし請求項１０のいずれかに記載の通信端末装置であって、
前記ネットワークオプション機器が、前記通信端末装置の本体部の中に収容可能なオプション基板を備えており、
前記オプション基板が、
前記通信端末装置の前記本体部にデジタルネットワーク端末機能を提供するネットワーク端末機能手段と、
前記シャットダウンスイッチから伸びる配線を接続する接続手段と、
前記配線が前記接続手段に接続されているときに、前記シャットダウンスイッチの操作によって前記ネットワーク端末機能手段のシャットダウンを許容するシャットダウン手段と、
を備えることを特徴とする通信端末装置。
【発明の詳細な説明】
【技術分野】
【０００１】
本発明は、デジタルネットワークオプション機器が装着された通信端末装置及び、デジタルネットワークオプション機器が装着可能な通信端末装置に関する。
【背景技術】
【０００２】
ファクシミリ通信において、従来は電話回線上でＦＡＸデータを通信していたが、近年はインターネットを利用してＦＡＸデータを通信するインターネットファクシミリ通信が実用化されている。
【０００３】
そこで、電話回線上でのファクシミリ通信機能を備えたファクシミリ装置や複合機に、ＬＡＮへの接続を可能とする機器を装備することで、同装置にインターネットファクシミリ通信機能やサーバ機能を付加することができる。
【０００４】
さらに、このようなネットワーク接続を可能とする機器をネットワークオプションユニットとして提供することで、電話回線を通じたファクシミリ通信を行う装置を、電話回線を通じたファクシミリ通信に加えてインターネットを通じたファクシミリ通信を行うことのできる装置へと仕様変更させることができる。
【０００５】
このようなネットワークオプションユニットが装着された装置においてはＯＳ（Operating System）によって各種の処理が実行されるため、装置の動作を終了するには、ＯＳを終了してシステムを停止するためのシャットダウン動作を行わなければならない。適切なシャットダウン動作を行うことなく電源を遮断すると、ファイルシステムの破壊等を招く危険があるからである。
【０００６】
ところで、ファクシミリ装置や複合機においては、電源スイッチの操作によって電源を遮断することで装置の動作を終了させるのが一般的な使用方法である。従って、例えば装置の本体に設けた液晶画面を見ながらシャットダウン操作を行う構成は、パソコンの操作等においては馴染みがあるが、ファクシミリ装置の使用方法としてはユーザに馴染みのあるものではない。このため、このような構成ではユーザは装置の動作を終了する際にシャットダウンオペレーションを行わない可能性が高かった。
【０００７】
そこで、電源スイッチとは別にシャットダウンスイッチを設け、このシャットダウンスイッチのスイッチ操作によってシャットダウン動作を行う構成が考えられる。
【０００８】
ところがこの場合、ネットワークオプションユニットの装着後は装置上に２種類のスイッチが配置されることになり、しかも、各スイッチの操作の順番を誤ると上記に述べたようにファイルシステムの破壊などを招きかねないことになる。
【０００９】
そこで電源スイッチの不用意な操作を防ぐために、電源スイッチに保護カバーを装着する方法が考えられている（特許文献１参照）。また、電源スイッチ操作がされるべきでない場合には電源スイッチのスイッチ操作ができないようにするスイッチ構造が考えられている（特許文献２参照）。さらに、シャットダウンスイッチが操作された後でないと電源スイッチが機能しない構成が考えられている（特許文献３参照）。
【００１０】
これらの技術を用いることで、シャットダウン前に電源が遮断されることを防止できる。
【００１１】
【特許文献１】特開平５−３４７１１３号公報
【特許文献２】特開平９−６３３９５号公報
【特許文献３】特開２００４−２７６５８８号公報
【発明の開示】
【発明が解決しようとする課題】
【００１２】
ところが、電源スイッチとシャットダウンスイッチとの２種類のスイッチが配置されているオプションユニットの装着後の装置態様においては、電源スイッチを不用意に操作しないようにするだけでは不十分である。
【００１３】
つまりこのような装置態様においては、ユーザに電源スイッチを不用意に操作させないことに加えて、シャットダウンスイッチの操作に気づかせることが必要なのである。
【００１４】
換言すると、シャットダウンスイッチが操作される前に電源スイッチが操作されることを防ぐとともに、ユーザに電源スイッチとシャットダウンスイッチとの２つのスイッチからシャットダウンスイッチを選択的に操作させなければならない。
【００１５】
本発明は、上記課題に鑑みてなされたものであって、オプションユニットが装着された状態において、シャットダウンを行わずに電源が遮断されることを防ぐと共にユーザに適切なシャットダウン操作を促す、オプションユニットが装着された通信端末装置及び、オプションユニットが装着可能な通信端末装置を提供することを目的とする。
【課題を解決するための手段】
【００１６】
上記課題を解決するため、請求項１の発明は、画像読取り機能と画像形成機能とを有する本体部にデジタルネットワークオプション機器が装着された通信端末装置であって、前記本体部の電源スイッチと、前記ネットワークオプション機器のシャットダウンスイッチと、を備え、前記シャットダウンスイッチが前記電源スイッチに比べて操作性において優位な位置に配置されていることを特徴とする。
【００１７】
また、請求項２に記載の発明は、請求項１に記載の通信端末装置において、前記シャットダウンスイッチが前記電源スイッチに比べて操作者側に近い位置に配置されていることを特徴とする。
【００１８】
また、請求項３に記載の発明は、請求項１または請求項２に記載の通信端末装置において、前記シャットダウンスイッチが前記電源スイッチの直接操作を妨害する位置に配置されていることを特徴とする。
【００１９】
また、請求項４に記載の発明は、請求項３に記載の通信端末装置において、前記電源スイッチは前記本体部のハウジングに形成した凹部内に配置され、前記シャットダウンスイッチは前記凹部の開口を覆うカバー上に配置されていることを特徴とする。
【００２０】
また、請求項５に記載の発明は、請求項４に記載の通信端末装置において、前記カバーを取り付けるための取付構造が前記凹部内に形成されていることを特徴とする。
【００２１】
また、請求項６に記載の発明は、請求項４に記載の通信端末装置において、前記カバーが、正面と背面とが規定されたカバー本体と、前記カバー本体から背面側に延びており、前記取付構造として前記凹部内に形成された係合構造に係合する足部と、を備え、前記シャットダウンスイッチが、前記カバー本体の正面から背面へと貫通形成された透孔に挿通されており、前記シャットダウンスイッチの操作面が前記カバー本体の前記正面に露出していることを特徴とする。
【００２２】
また、請求項７に記載の発明は、請求項１または請求項２に記載の通信端末装置において、前記電源スイッチは、前記本体部のハウジングの前面側の第１位置にあり、前記シャットダウンスイッチは前記ハウジングの後面側の第２位置にあることを特徴とする。
【００２３】
また、請求項８に記載の発明は、画像読取り機能と画像形成機能とを有する本体部を備えるとともに、前記本体部にはデジタルネットワークオプション機器が装着可能とされた通信端末装置であって、前記本体部の電源スイッチと、前記ネットワークオプション機器のシャットダウンスイッチを取り付け可能な取付構造と、を備え、前記取付構造が、前記電源スイッチに比べて操作性において優位な位置に配置されていることを特徴とする。
【００２４】
また、請求項９に記載の発明は、請求項８に記載の通信端末装置において、前記本体部のハウジングに、前記シャットダウンスイッチを装着可能な凹部が形成されており、前記電源スイッチは前記凹部の底面に配置され、前記シャットダウンスイッチが、前記凹部の開口を覆うように装着可能なカバー上に取り付けられていることを特徴とする。
【００２５】
また、請求項１０に記載の発明は、請求項９に記載の通信端末装置において、前記カバーを取り付けるための取付構造が前記凹部内に形成されていることを特徴とする。
【００２６】
また、請求項１１に記載の発明は、請求項１ないし請求項１０のいずれかに記載の通信端末装置であって、前記ネットワークオプション機器が、前記通信端末装置の本体部の中に収容可能なオプション基板を備えており、前記オプション基板が、前記通信端末装置の前記本体部にデジタルネットワーク端末機能を提供するネットワーク端末機能手段と、前記シャットダウンスイッチから伸びる配線を接続する接続手段と、前記配線が前記接続手段に接続されているときに、前記シャットダウンスイッチの操作によって前記ネットワーク端末機能手段のシャットダウンを許容するシャットダウン手段と、を備えることを特徴とする。
【発明の効果】
【００２７】
請求項１に記載の通信端末装置によれば、シャットダウンスイッチが電源スイッチに比べて操作し易い位置にあるため、シャットダウンを行わずに電源が遮断されることを防ぐと共にユーザに適切なシャットダウン操作を促すことができる。
【００２８】
請求項４に記載の通信端末装置によれば、シャットダウンスイッチが電源スイッチの配置された本体部のハウジングに形成した凹部の開口を覆うカバー上に配置されている。つまり、電源スイッチがカバーで覆われているため、ユーザによって不用意に操作されることがない。また、ユーザにとってのオプションユニット装着前後の操作性の変化が乏しいため、ユーザは違和感なくシャットダウンスイッチの操作を行うことができる。
【００２９】
請求項８に記載の通信端末装置によれば、シャットダウンスイッチを取り付け可能な取付構造が電源スイッチに比べて操作し易い位置にあるため、シャットダウンスイッチが当該取付構造に取り付けられた場合に、シャットダウンを行わずに電源が遮断されることを防ぐと共にユーザに適切なシャットダウン操作を促すことができる
【発明を実施するための最良の形態】
【００３０】
以下、図面を参照しつつ本発明の実施形態について説明する。
【００３１】
＜１．通信端末装置の構成例＞
図１は、この発明の各実施形態に係る通信端末装置に共通の構成例を示すブロック図である。ここでの通信端末装置は、電話回線を通じたファクシミリ通信を行うファクシミリ機能とコピー機能とを備えた複合機であるが、各実施形態はこのような複合機に限られるものではなく、電話回線を通じたファクシミリ通信機能を備えた各種の装置での実施が可能である。
【００３２】
図１に示す複合機は２つの装置態様を有している。すなわち、第１の態様はオプションユニットを装着しない状態の装着前複合機１００であり、第２の態様はオプションユニットを装着した状態の装着後複合機２００である。
【００３３】
はじめに装着前複合機１００の装置構成について説明する。装着前複合機１００は、所定のプログラムに従って装着前複合機１００の制御を行うＣＰＵ１０、そのプログラムを格納するＲＯＭ１１、ファクシミリ送受信した画像データやＦＡＸ番号等が一時的に記憶されるＲＡＭ１２を備えている。
【００３４】
また、通信関係の機能部として、画像データ等を複数のプロトコルに対応して符号化/復号化するＣＯＤＥＣ１３と、送受信データの変調及び復調を行うモデム１４と、電話回線の開閉制御を行うＮＣＵ１５とが設けられている。ＮＣＵ１５は、アナログ回線用のデータ通信ネットワークであるＰＳＴＮ（公衆交換電話網）を介した外部端末５０との通信を可能としている。
【００３５】
さらに、例えば図示しないスキャナによって画像を読み取る読取部１６を備える。また、表示部１７と、操作部１８とを備え、さらに、読取部１６から読み取られた画像データあるいはファクシミリ通信により受信された画像データを紙媒体その他のシート上にプリントする画像形成部１９を備えている。さらに、商用電源から装着前複合機１００全体への通電と遮断とを切り換える電源スイッチ２０を備えている。
【００３６】
これらの構成部分はバス等の内部通信手段によって相互に接続されている。
【００３７】
以上が装着前複合機１００の装置構成である。
【００３８】
続いて、装着後複合機２００の装置構成について説明する。装着後複合機２００は、装着前複合機１００に、デジタルネットワークへの接続を可能とするネットワークオプションユニット３００を装着した状態である。
【００３９】
図８に概略配置平面図として示すように、ネットワークオプションユニット３００は、所要のプリント配線（図示せず）がなされたオプション基板（回路基板）ＳＢ上にＬＳＩ回路チップなどの複数の回路要素３５０を実装して構成されており、回路要素３５０の集合によってネットワーク機能部３０を構成している。
【００４０】
また、ネットワークオプションユニット３００のシャットダウン動作を許容するシャットダウンスイッチ３１（図１）が設けられるが、このシャットダウンスイッチ３１は、図８のコネクタ３２０を介して、ネットワークオプションユニット３００のコネクタ３２に接続される。
【００４１】
なお、ネットワーク機能部３０はＬＡＮとのインターフェイスに相当する図示しないＬＡＮＩ／Ｆを備えており、ＬＡＮ及びインターネットを介した外部端末５１、５２との通信を可能とする。
【００４２】
装着前複合機１００のハウジング内部には、ネットワークオプションユニット３００を挿入可能なオプションスロット（拡張機能用スロット）が形成されている。装着前複合機１００から装着後複合機２００への仕様変更にあたっては、オプション基板ＳＢの一端側をこのスロット中に挿入することによって、装着前複合機１００とネットワークオプションユニット３００とが電気的に接続され、バス等の内部通信手段によってこれらが相互に通信可能な状態となる。
【００４３】
そして、後述するように、シャットダウンスイッチ３１を備えるシャットダウンスイッチユニット３１０をハウジング表面部の所定位置に設置し、さらにシャットダウンスイッチユニット３１０の端子部３１０Ｓから伸びるハーネス３１６の他端のコネクタ３２０をオプション基板ＳＢのコネクタ３２に接続する。
【００４４】
以上がオプションユニットの装着プロセスである。
【００４５】
次に、シャットダウンスイッチ３１の機能について説明する。
【００４６】
図１の装着後複合機２００において、シャットダウンスイッチ３１からのコントロール信号はＣＰＵ１０に伝えられる。このコントロール信号を受けたＣＰＵ１０は実行中のプログラムの終了処理等のシャットダウン動作を行うとともに、装着後複合機２００を通常の動作モードから例えば低消費電力モードといった所定のスリープモードへ切り換える。なお、さらに詳しく述べると、コントロール信号は、シャットダウンスイッチ３１からオプション基板ＳＢを通してＣＰＵ１０に伝えられる。従ってコントロール信号の出力はＣＰＵ１０においてオプション基板ＳＢの装着が確認された後から可能になる。
【００４７】
以上が装着前複合機１００及び装着後複合機２００の装置構成である。遮断動作を行うスイッチとして、装着前複合機１００はメインスイッチである電源スイッチ２０を有しているのみであるが、ネットワークオプションユニットが装着された装着後複合機２００は、この電源スイッチ２０に加えてシャットダウンスイッチ３１を有している。
【００４８】
以上は各実施形態に共通する構成であるが、以下では、この２つのスイッチがどのように配置されるかについて実施形態ごとに説明する。
【００４９】
＜２．第１の実施形態＞
図２は第１の実施形態に係る装着前複合機１００ａの外観構成を表すものである。この装置のハウジング５の一面には表示部１７及び操作部１８が配置されている。なお、以下の説明においては表示部１７及び操作部１８が配置された面を装置の前面と規定する。
【００５０】
スイッチ取付構造２０ａは、ハウジング５の前面側の下方隅に形成されており、その操作面が装着前複合機１００ａの前面側の斜め前に向かって露出するように配置されている。
【００５１】
図３は、図２のスイッチ取付構造２０ａを拡大して表す透過図であるが、ここに示されるように、スイッチ取付構造２０ａは、装着前複合機１００ａのハウジング５の前面側に設けられた凹部２１０の底面部２１１に、操作面２１が露出するように電源スイッチ２０が配置されて構成されている。
【００５２】
この凹部２１０の側面を構成する各４面２１２ａ〜２１２ｄには透孔２０１ａ〜２０１ｄが設けられている。この透孔２０１ａ〜２０１ｄは、後に述べるシャットダウンスイッチユニット３１０の固定に際して係合構造として機能するものである。この透孔２０１ａ〜２０１ｄは本体のハウジング５内部まで貫通する孔であってもよいし、後に述べるシャットダウンスイッチユニット３１０における係合部ＥＧの突起形状に応じた凹みであってもよい。
【００５３】
さらに凹部の側面を構成する４面２１２ａ〜２１２ｄの内の所定の一面（図示例では左側面２１２ｂ）には、透孔２０１ｂから連続する透孔部分としてのハーネス抜け孔２０２が設けられている。このハーネス抜け孔２０２は、後に述べるシャットダウンスイッチユニット３１０の端子部３１０Ｓから伸びるハーネス３１６をハウジング５内部へと通過させてオプション基板へと導くものである。つまりこのハーネス抜け孔２０２は本体のハウジング５の内部まで貫通している。
【００５４】
なお、これら４カ所の透孔２０１ａ〜２０１ｄとハーネス抜け孔２０２は、装着前複合機１００ａの状態で装置を利用する際には特に使用されない。従って、装着前複合機１００ａの状態で装置を利用する際には、これらの透孔２０１ａ〜２０１ｄ及びハーネス抜け孔２０２は薄版等でカバーしておくようにすることが好ましい。具体的には、凹部２１０の４側面２１２ａ〜２１２ｄの内壁を、これらの透孔２０１ａ〜２０１ｄ及びハーネス抜け孔２０２に相当する部分も含めて一体形成しておくとともに、透孔２０１ａ〜２０１ｄ及びハーネス抜け孔２０２の輪郭に沿って深溝を形成しておく。そして、シャットダウンスイッチユニット３１０を装着する際には、その深溝に沿って透孔２０１ａ〜２０１ｄ及びハーネス抜け孔２０２を覆っていた部分を切り取ることによって透孔２０１ａ〜２０１ｄ及びハーネス抜け孔２０２を出現させることができる。また、凹部２１０の側面２１２ａ〜２１２ｄを構成する四角筒を各装置態様に応じて２種類用意し、シャットダウンスイッチユニット３１０の装着の際に透孔２０１ａ〜２０１ｄ及びハーネス抜け孔２０２を持たない四角筒から透孔２０１ａ〜２０１ｄ及びハーネス抜け孔２０２を持つ四角筒へ交換してもよい。
【００５５】
以上が第１の実施形態に係る装着前複合機１００ａについての説明である。
【００５６】
次に、装着前複合機１００ａへのオプションユニットの装着、つまり装着後複合機２００ａへの仕様変更について説明する。
【００５７】
先に述べたように、まず複合機のハウジング５内部（つまり複合機の本体内部）の所定位置へのネットワークオプションユニット３００の配置及び接続を行う。
次にシャットダウンスイッチユニット３１０の設置及び接続を行うが、これについて以下に詳しく説明する。
【００５８】
ここにおけるシャットダウンスイッチユニット３１０とは、シャットダウンスイッチ３１を搭載するユニットであり、このシャットダウンスイッチユニット３１０を装着前複合機１００ａに配置し、所定の接続作業を行うことによってシャットダウンスイッチ３１の機能が付加されることになる。
【００５９】
図４は、シャットダウンスイッチユニット３１０の斜視図であり、図５はその一部を透視したものである。また、図６は一部の図示を省略したシャットダウンスイッチユニット３１０の側面図である。
【００６０】
図４に示すように、シャットダウンスイッチユニット３１０は、略矩形板状とされたカバー本体部３１２の正面側の主面中央部に透孔Ｈ（図６）が貫通形成され、この透孔Ｈにシャットダウンスイッチ３１が挿通されるとともに、シャットダウンスイッチ３１のスイッチ操作面３１１がカバー本体部３１２の正面側主面の中央部に露出した構成となっている。カバー本体部３１２の背面側の４辺付近からはそれぞれ足部３１３ａ〜３１３ｄがカバー本体部３１２の主面に対して略垂直に延設されており、それらの先端は、係合部ＥＧとなっている。
【００６１】
また、図６に示すように、４つの足部３１３ａ〜３１３ｄの内の所定の１つの足部（図示例では左側の足部３１３ｂ）の途中には切り欠き部３１４が形成されており、足部３１３ｂはこの切り欠き部３１４を挟む二股部３１５となっている。この切り欠き部３１４は、シャットダウンスイッチユニット３１０が装着前複合機１００ａに装着された際に、図４のハーネス抜け孔２０２と重なりあって単一の窓を形成する。このため、シャットダウンスイッチ３１の背面側にある端子部３１０Ｓから伸びるハーネス３１６を、この窓を介してハウジング５の内部へと通すことができる。なお、カバー本体部３１２にはスイッチ支持部３１７が付設されており、このスイッチ支持部３１７によって端子部３１０Ｓが支持されている。これによって端子部３１０Ｓ（プッシュスイッチ本体）が固定されており、スイッチ操作面（キートップ）３１１への押下力がロッド３１１Ｒを介して端子部３１０Ｓに伝達される。
【００６２】
以上がシャットダウンスイッチユニット３１０の構成である。
【００６３】
次にシャットダウンスイッチユニット３１０の装着前複合機１００ａへの設置及びオプション基板への接続について説明する。
【００６４】
シャットダウンスイッチユニット３１０は、装着前複合機１００ａに設けた凹部２１０の開口Ｐ（図３）を覆う形で配置される。凹部２１０の底部２１１には、電源スイッチ２０の操作面２１が露出している。より詳しく述べると、まず、シャットダウンスイッチユニット３１０の端子部３１０Ｓから伸びるハーネス３１６を、切り欠き部３１４及びハーネス抜け孔２０２を順次に通過させ、複合機のハウジング５内部の所定位置に配置されたオプション基板ＳＢのコネクタ３２へ接続する。この状態でカバー本体部３１２を凹部２１０に向けて前進させ、カバー本体部３１２の背面に配置された４つの足部３１３ａ〜３１３ｄの係合部ＥＧのそれぞれを、凹部２１０の側面を構成する各４面２１２ａ〜２１２ｄに設けられた透孔２０１ａ〜２０１ｄの端面に係合させる。これにより、カバー本体部３１２が凹部２１０に固定されるとともに凹部２１０の開口Ｐがカバー本体部３１２によって覆われる構造となる。このような状態を実現するために、カバー本体部３１２の形状及びサイズは、凹部２１０の開口Ｐと略一致したものとされている。
【００６５】
このようなシャットダウンスイッチユニット３１０の設置は、電源スイッチ２０のオン状態、つまり装着前複合機１００ａへ電源供給回路を閉じている状態でなされる。シャットダウンスイッチユニット３１０の設置後は電源スイッチ２０の操作が困難となるからである。
【００６６】
以上がシャットダウンスイッチユニット３１０の装着手順である。
【００６７】
このような装着を行うことにより装着後複合機２００ａが得られるが、装着後複合機２００ａにおいては、電源スイッチ２０の操作面は、装着後複合機２００ａの前面側に設けられた凹部２１０の底面部２１１に露出している。
【００６８】
また、シャットダウンスイッチ３１の操作面３１１は、電源スイッチ２０が設けられた凹部２１０の開口Ｐを覆う形で配されたカバー本体部３１２上に露出している。従って、この位置関係においては電源スイッチ２０の操作面２１がユーザに対して露出していないために、ユーザは電源スイッチ２０を操作することができない。
【００６９】
つまり、この第１の実施形態によれば、カバー本体部３１２を取り去らない限り電源スイッチ２０は操作不可能なため、電源スイッチ２０の不用意な操作を防ぐことができる。
【００７０】
さらに、ユーザにとって、シャットダウンスイッチ３１は電源スイッチ２０とほぼ同じ位置に設置されているので、装着前複合機１００ａにおける電源スイッチ２０と、装着後複合機２００ａにおけるシャットダウンスイッチ３１とで、操作性はほぼ同じである。従ってユーザが装着前複合機１００ａの操作に慣れているがゆえに無意識にスイッチ操作を行った場合でもシャットダウンスイッチ３１が操作されることになり、適切なシャットダウン動作が行われる。
【００７１】
すなわち、シャットダウンスイッチ３１は電源スイッチ２０よりも操作性において優位な位置にあり、さらにこの第１の実施形態では電源スイッチ２０の直接操作を妨害する位置に配置されていることによって、電源スイッチ２０の誤操作を有効に防止可能となっている。
【００７２】
＜３．第２の実施形態＞
図９は、この発明の第２の実施形態における装着後複合機２００ｂを示す斜視図である。なお、以下の説明においても表示部１７及び操作部１８が配置された面を装置の前面と規定する。この第２の実施形態では、電源スイッチ２０は、その操作面２１が装置の背面側の隅に露出するように配置されている。そして、この電源スイッチ２０の操作面２１はＡＣインレット（商用電源配線引込み口）２５と併置されている。
【００７３】
ネットワークオプションユニット３００（図１）が装着される場合には、ハウジング５の前面側の下方隅にシャットダウンスイッチユニット３１０が取り付けられる。このシャットダウンスイッチユニット３１０は前面側に向かって斜めに露出している。
【００７４】
シャットダウンスイッチユニット３１０を取り付けるためのスイッチ取付構造２０ｂ（図１０）は、第１の実施形態におけるスイッチ取付構造２０ａと類似しているが、凹部２１０の中には電源スイッチ２０は取り付けられていない。シャットダウンスイッチユニット３１０を取り付ける前の状態では、開口Ｐを覆うダミー板が取り付けらており、シャットダウンスイッチユニット３１０をオプションで装着する際には、このダミー板が取り外され、図７と類似した図１０の態様でシャットダウンスイッチユニット３１０が開口Ｐを覆うように装着される。オプション基板ＳＢのコネクタ３２へのハーネス３１６の接続は、第１の実施形態と同様に行うことができる。
【００７５】
通常、ユーザは表示部１７及び操作部１８が配された側、つまり装置前面側から装置を使用するため、装置の前面側にスイッチ操作面３１１が配置されたシャットダウンスイッチ３０は装置背面側にスイッチ操作面２１が配置された電源スイッチ２０に比べて操作し易いことになる。
【００７６】
つまり第２の実施形態によれば、ユーザにとって相対的に操作が困難でありまた通常の操作位置からは目視が困難である電源スイッチ２０は操作しづらいため、電源スイッチ２０の不用意な操作を防ぐことができる。
【００７７】
すなわち、シャットダウンスイッチ３１は電源スイッチ２０よりも操作性において優位な位置にある点においては第１の実施形態と同様であるが、この第２の実施形態ではスイッチ間の絶対的な空間距離を大きくとることによって、電源スイッチ２０の誤操作を有効に防止しようとしている。
【００７８】
さらに、ユーザにとって相対的に操作が容易でありまた通常の操作位置からの目視が容易であるシャットダウンスイッチ３１は無理なく操作可能であるため、ユーザに適切なシャットダウン操作を行わせることができる。  
【図面の簡単な説明】
【００７９】
【図１】第１及び第２の実施形態に係る通信端末装置の構成例を示すブロック図である。
【図２】第１の実施形態に係る装着前複合機１００ａの外観構成を示す斜視図である。
【図３】第１の実施形態に係る装着前複合機１００ａの電源スイッチ部分を示す斜視図である。
【図４】第１の実施形態に係るシャットダウンスイッチユニット３１０を示す斜視図である。
【図５】第１の実施形態に係るシャットダウンスイッチユニット３１０を示す一部透視斜視図である。
【図６】第１の実施形態に係るシャットダウンスイッチユニット３１０を示す側面図である。
【図７】第１の実施形態に係るシャットダウンスイッチユニット３１０ａの取付状態を示す断面図である。
【図８】ネットワークオプション基板との接続を示す概念図である。
【図９】第２の実施形態に係る装着後複合機２００ｂの外観構成を示す斜視図である。
【図１０】第２の実施形態に係るシャットダウンスイッチユニット３１０の取付状態を示す断面図である。
【符号の説明】
【００８０】
２０  電源スイッチ
３１  シャットダウンスイッチ
２０１ａ〜２０１ｄ  透孔
２０２  ハーネス抜け孔
２１０  凹部
３１０  シャットダウンスイッチユニット
３１１  操作面
３１２  カバー本体部
ＥＧ  係合部
３１４  切り欠き部
３１７  スイッチ支持部
３１６  ハーネス
１００ａ  装着前複合機
２００ａ、２００ｂ  装着後複合機
【図１】
2006174203.tif 000003
【図２】
2006174203.tif 000004
【図３】
2006174203.tif 000005
【図４】
2006174203.tif 000006
【図５】
2006174203.tif 000007
【図６】
2006174203.tif 000008
【図７】
2006174203.tif 000009
【図８】
2006174203.tif 000010
【図９】
2006174203.tif 000011
【図１０】
2006174203.tif 000012